【手続補正書】
【提出日】平成20年3月31日(2008.3.31)
【手続補正１】
【補正対象書類名】明細書
【補正対象項目名】特許請求の範囲
【補正方法】変更
【補正の内容】
【特許請求の範囲】
【請求項１】  処理態様が異なる複数の画像処理によって生成されるそれぞれの印刷データに基づいて印刷を行なうことが可能な印刷装置において、
前記複数の画像処理の一部に関して、当該印刷装置の印刷特性を一定のものするキャリブレーションを行なう第１のキャリブレーション手段と、
前記複数の画像処理それぞれに関して、当該印刷装置の印刷特性を一定のものするキャリブレーションを行なうキャリブレーションであって、前記第１のキャリブレーション手段と当該キャリブレーションの態様を異ならせた第２のキャリブレーション手段と、
を具えたことを特徴とする印刷装置。
【請求項２】  前記第１のキャリブレーション手段は、用紙上にパッチパターンを印刷し、該用紙がユーザの操作を介して読取り装置にセットされることより読み取られたデータに基づいてキャリブレーションデータを作成することを特徴とする請求項１に記載の印刷装置。
【請求項３】  前記第１のキャリブレーション手段は、非印刷動作時に行なわれることを特徴とする請求項１または２に記載の印刷装置。
【請求項４】  前記第２のキャリブレーション手段は、当該装置内の像形成媒体にパッチパターンを形成し、該パッチパターンが読取り装置により読み取られたデータに基づいてキャリブレーションデータを作成することを特徴とする請求項１ないし３のいずれかに記載の印刷装置。
【請求項５】  前記第２のキャリブレーション手段は、印刷動作中に行なわれることを特徴とする請求項１ないし４のいずれかに記載の印刷装置。
【請求項６】  前記印刷装置は電子写真方式により印刷を行なうものであり、前記パッチパターンは顕像であることを特徴とする請求項４または５に記載の印刷装置。
【請求項７】  前記印刷装置は電子写真方式により印刷を行なうものであり、前記パッチパターンは潜像であることを特徴とする請求項４または５に記載の印刷装置。
【請求項８】  前記複数の画像処理は、印刷における階調性を重視した処理を行なう画像処理と、印刷における解像度を重視した処理を行なう画像処理を含み、前記第１のキャリブレーション手段が前記階調性を重視した画像処理に関してキャリブレーションを行なうことを特徴とする請求項１ないし７のいずれかに記載の印刷装置。
【請求項９】  処理態様が異なる複数の画像処理によって生成されるそれぞれの印刷データに基づいて印刷を行なうことが可能な印刷装置のキャリブレーション方法において、
前記複数の画像処理の一部に関して、当該印刷装置の印刷特性を一定のものするキャリブレーションを行なう第１のキャリブレーション工程と、
前記複数の画像処理それぞれに関して、当該印刷装置の印刷特性を一定のものするキャリブレーションを行なうキャリブレーション工程であって、前記第１のキャリブレーション手段と当該キャリブレーションの態様を異ならせた第２のキャリブレーション工程と、
を有したことを特徴とするキャリブレーション方法。
【請求項１０】  前記第１のキャリブレーション工程は、用紙上にパッチパターンを印刷し、該用紙がユーザの操作を介して読取り装置にセットされることより読み取られたデータに基づいてキャリブレーションデータを作成することを特徴とする請求項９に記載のキャリブレーション方法。
【請求項１１】  前記第１のキャリブレーション工程は、非印刷動作時に行なわれることを特徴とする請求項９または１０に記載のキャリブレーション方法。
【請求項１２】  前記第２のキャリブレーション工程は、当該装置内の像形成媒体にパッチパターンを形成し、該パターンが読取り装置により読み取られたデータに基づいてキャリブレーションデータを作成することを特徴とする請求項９ないし１１のいずれかに記載のキャリブレーション方法。
【請求項１３】  前記第２のキャリブレーション工程は、印刷動作中に行なわれることを特徴とする請求項９ないし１２のいずれかに記載のキャリブレーション方法。
【請求項１４】  前記印刷装置は電子写真方式により印刷を行なうものであり、前記パッチパターンは顕像であることを特徴とする請求項１２または１３に記載のキャリブレーション方法。
【請求項１５】  前記印刷装置は電子写真方式により印刷を行なうものであり、前記パッチパターンは潜像であることを特徴とする請求項１２または１３に記載のキャリブレーション方法。
【請求項１６】  前記複数の画像処理は、印刷における階調性を重視した処理を行なう画像処理と、印刷における解像度を重視した処理を行なう画像処理を含み、前記第１のキャリブレーション工程が前記階調性を重視した画像処理に関してキャリブレーションを行なうことを特徴とする請求項９ないし１５のいずれかに記載のキャリブレーション方法。
【請求項１７】  処理態様が異なる複数の画像処理によって生成されるそれぞれの印刷データに基づいて印刷を行なうことが可能な印刷装置のキャリブレーションを実行するためのプログラムであって、
前記複数の画像処理の一部に関して、当該印刷装置の印刷特性を一定のものするキャリブレーションを行なう第１のキャリブレーション工程と、
前記複数の画像処理それぞれに関して、当該印刷装置の印刷特性を一定のものするキャリブレーションを行なうキャリブレーションであって、前記第１のキャリブレーション手段と当該キャリブレーションの態様を異ならせた第２のキャリブレーション工程と
からなる処理コードを有したことを特徴とするプログラム。
【手続補正２】
【補正対象書類名】明細書
【補正対象項目名】００１０
【補正方法】変更
【補正の内容】
【００１０】
【課題を解決するための手段】
そのために本発明では、処理態様が異なる複数の画像処理によって生成されるそれぞれの印刷データに基づいて印刷を行なうことが可能な印刷装置において、前記複数の画像処理の一部に関して、当該印刷装置の印刷特性を一定のものするキャリブレーションを行なう第１のキャリブレーション手段と、前記複数の画像処理それぞれに関して、当該印刷装置の印刷特性を一定のものするキャリブレーションを行なうキャリブレーションであって、前記第１のキャリブレーション手段と当該キャリブレーションの態様を異ならせた第２のキャリブレーション手段と、を具えたことを特徴とする。
【手続補正３】
【補正対象書類名】明細書
【補正対象項目名】００１１
【補正方法】変更
【補正の内容】
【００１１】
また、処理態様が異なる複数の画像処理によって生成されるそれぞれの印刷データに基づいて印刷を行なうことが可能な印刷装置のキャリブレーション方法において、前記複数の画像処理の一部に関して、当該印刷装置の印刷特性を一定のものするキャリブレーションを行なう第１のキャリブレーション工程と、前記複数の画像処理それぞれに関して、当該印刷装置の印刷特性を一定のものするキャリブレーションを行なうキャリブレーション工程であって、前記第１のキャリブレーション手段と当該キャリブレーションの態様を異ならせた第２のキャリブレーション工程と、を有したことを特徴とする。
【手続補正４】
【補正対象書類名】明細書
【補正対象項目名】００１２
【補正方法】変更
【補正の内容】
【００１２】
以上の構成によれば、複数の画像処理に関する第１のキャリブレーション手段または工程と第２のキャリブレーション手段または工程の実行について、第１のキャリブレーション手段（工程）は第２のキャリブレーション手段（工程）とキャリブレーションの態様が異なるので、例えば、キャリブレーションに関する画像処理の数を異ならせて、第１のキャリブレーションをその実行に比較的時間を要するものとするとともに、その対応する画像処理を適切に設定すれば、画像処理に関する印刷特性の劣化をできるだけ少なくしつつ、全体として行なわれるキャリブレーションの時間を低減できる。
【手続補正５】
【補正対象書類名】明細書
【補正対象項目名】０１４８
【補正方法】変更
【補正の内容】
【０１４８】
【発明の効果】
以上の説明から明らかなように、本発明によれば、複数の画像処理に関する第１のキャリブレーション手段または工程と第２のキャリブレーション手段または工程の実行について、第１のキャリブレーション手段（工程）は第２のキャリブレーション手段（工程）とキャリブレーションの態様が異なるので、例えば、キャリブレーションに関する画像処理の数を異ならせて、第１のキャリブレーションをその実行に比較的時間を要するものとするとともに、その対応する画像処理を適切に設定すれば、画像処理に関する印刷特性の劣化をできるだけ少なくしつつ、全体として行なわれるキャリブレーションの時間を低減できる。